(57)【特許請求の範囲】
【請求項１】
高速パケットアクセスをサポートする無線広域システムにおいて、物理チャネルの取り除きを可能にする方法であって、前記方法は、
１つ以上の移動端末（３２）を対象とした多くの論理ダウンリンクチャネルにおいてデータを受信する工程（５６）と、
前記論理ダウンリンクチャネルの第１のグループのデータに、一群の移動端末をアドレスする高速無線ネットワークの第１のテンポラリアイデンティティを割り当て、高速ダウンリンク共用チャネルを経由して前記１つ以上の移動端末（３２）による受信のために、前記第１のグループのチャネルの前記データが送信できるようにする工程と、
単一の論理ダウンリンク呼出チャネルのデータに第２のテンポラリアイデンティティを割当てる工程とを有することを特徴とする方法。
【請求項２】
少なくとも対応する論理チャネルを示す前記第１のグループの前記論理ダウンリンクチャネルのデータにヘッダを付加する工程（５８）をさらに有することを特徴とする請求項１に記載の方法。
【請求項３】
前記第２のテンポラリアイデンティティは一群の移動端末をアドレスすることを特徴とする請求項１又は２に記載の方法。
【請求項４】
前記第２のテンポラリアイデンティティは専用の移動端末をアドレスすることを特徴とする請求項１又は２に記載の方法。
【請求項５】
論理ダウンリンク呼出或は専用ユーザチャネルに関係したアイデンティティを送信する前に、呼出インジケータを送信する工程をさらに有することを特徴とする請求項１乃至４のいずれか１項に記載の方法。
【請求項６】
前記高速無線ネットワークの第１のテンポラリアイデンティティは前記第１のグループのチャネルを示すことを特徴とする請求項１乃至５のいずれか１項に記載の方法。
【請求項７】
前記論理ダウンリンクチャネルの第２のグループのデータに、一群の移動端末をアドレスする高速無線ネットワークの更なるテンポラリアイデンティティを割当てる工程をさらに有し、
前記第１のグループは特定の移動端末を対象としたデータを送信するチャネルであり、前記第２のグループは一群の移動端末を対象としたデータを送信するチャネルであることを特徴とする請求項１乃至６のいずれか１項に記載の方法。
【請求項８】
高速無線ネットワークの各テンポラリアイデンティティと対応するスケジューリングコマンドを高速制御チャネルで、そして、前記データを高速ダウンリンク共用チャネルで送信する工程をさらに有することを特徴とする請求項１乃至７のいずれか１項に記載の方法。
【請求項９】
前記移動端末にどこで前記データを受信するのかを通知するために、前記高速無線ネットワークのテンポラリアイデンティティを用いて、前記グループの論理ダウンリンクチャネルを複数の移動端末が受信可能にする情報を同報する工程をさらに有することを特徴とする請求項１乃至８のいずれか１項に記載の方法。
【請求項１０】
アクティブ通信状態にある専用移動端末のための論理チャネルのデータにマッピングされた高速無線ネットワークのテンポラリアイデンティティを保持し、端末が非アクティブ通信状態にあるときに、該端末に専用制御及びデータの送信においても該マッピングされた高速無線ネットワークのテンポラリアイデンティティを用いる工程をさらに有することを特徴とする請求項１乃至９のいずれか１項に記載の方法。
【請求項１１】
前記アクティブ通信状態とはＣＥＬＬ＿ＤＣＨ状態であることを特徴とする請求項１０に記載の方法。
【請求項１２】
前記非アクティブ通信状態とは、ＣＥＬＬ＿ＦＡＣＨ状態、ＣＥＬＬ＿ＰＣＨ状態、及びＵＲＡ＿ＰＣＨ状態のグループの状態であることを特徴とする請求項１０又は１１に記載の方法。
【請求項１３】
高速パケットアクセスをサポートする無線広域システム内の無線ネットワーク制御装置（２２）であって、
１つ以上の移動端末（３２）を対象とした多くの論理ダウンリンクチャネルにおいてデータを受信する手段（３１）と、
前記論理ダウンリンクチャネルの第１グループのデータに一群の移動端末をアドレスする高速無線ネットワークの第１のテンポラリアイデンティティを割り当て、高速ダウンリンク共用チャネルを経由して前記１つ以上の移動端末による受信のために、前記第１のグループのチャネルの前記データが送信できるようにする手段（３４，３６）と、
単一の論理ダウンリンク呼出チャネルのデータに第２のテンポラリアイデンティティを割当てる手段とを有することを特徴とする無線ネットワーク制御装置。
【請求項１４】
高速パケットアクセスをサポートする無線広域システム内の移動端末（３２）において、物理チャネルの取り除きを可能にする方法であって、前記方法は、
高速ダウンリンク共用チャネルを経由して論理ダウンリンクチャネルを受信するのに必要な情報を同報制御チャネルから読み取る工程（６４）と、
高速無線ネットワークのテンポラリアイデンティティのために高速共用制御チャネルを聴取する工程（６６）と、
前記アイデンティティを検出する（６８）場合に、前記高速無線ネットワークのテンポラリアイデンティティに対するスケジューリングコマンドに従う工程（７０）と、
前記高速ダウンリンク共用チャネルでデータを受信する工程（７４）と、
前記データを処理する工程（７６，８０）とを有し、
前記必要な情報は、少なくとも１つの論理ダウンリンクチャネルに割り当てられる前記高速無線ネットワークのテンポラリアイデンティティを含んでおり、
前記論理ダウンリンクチャネルの第１グループに割り当てられた、一群の移動端末をアドレスする少なくとも高速無線ネットワークの第１のテンポラリアイデンティティが存在し、
前記読み取られた必要な情報に含まれる高速無線ネットワークのテンポラリアイデンティティは単一の論理ダウンリンク呼出チャネルのデータに関係した第２のテンポラリアイデンティティであることを特徴とする方法。
【請求項１５】
前記読み取られた高速無線ネットワークのテンポラリアイデンティティは一群のチャネルに割り当てられた高速無線ネットワークテンポラリアイデンティティであり、
前記チャネルに関係する前記データは、ヘッダを含み、
さらに、
どの論理チャネルに前記データが関係しているのかについての情報に関し、前記ヘッダを調べる工程（７８）と、
前記論理チャネル情報に基づく処理を選択する工程（８０）とを有することを特徴とする請求項１４に記載の方法。
【請求項１６】
前記高速無線ネットワークの第１のテンポラリアイデンティティは、特定の移動端末を対象としたデータを提供するチャネルに関係することを特徴とする請求項１５に記載の方法。
【請求項１７】
前記読み取られた高速無線ネットワークのテンポラリアイデンティティは、前記高速無線ネットワークの第１のテンポラリアイデンティティであることを特徴とする請求項１６に記載の方法。
【請求項１８】
もし、前記論理チャネル情報が特定の移動端末を対象としたデータを提供する論理チャネルを示しているなら、
前記データが前記特定の移動端末を対象としたものであるかどうかを調べ、前記データが前記特定の移動端末を対象としたものでない場合には、処理を行なわずに前記データを棄却する工程をさらに有することを特徴とする請求項１６又は１７に記載の方法。
【請求項１９】
前記第１のグループは特定の移動端末を対象としたデータを送信するチャネルであり、前記読み取られた高速無線ネットワークのテンポラリアイデンティティは一群の移動端末にデータを提供する第２のグループの論理ダウンリンクチャネルに関係した高速無線ネットワークの更なるテンポラリアイデンティティであることを特徴とする請求項１５に記載の方法。
【請求項２０】
アクティブ通信状態にあるときに前記移動端末のための論理チャネルのデータにマッピングされた高速無線ネットワークのテンポラリアイデンティティを保持し、前記移動端末が非アクティブ通信状態にあるときに、専用制御及びデータの受信のために該マッピングされた高速無線ネットワークのテンポラリアイデンティティを用いる工程をさらに有することを特徴とする請求項１４乃至１９のいずれか１項に記載の方法。
【請求項２１】
前記アクティブ通信状態は、ＣＥＬＬ＿ＤＣＨ状態であることを特徴とする請求項２０に記載の方法。
【請求項２２】
前記非アクティブ通信状態は、ＣＥＬＬ＿ＦＡＣＨ状態、ＣＥＬＬ＿ＰＣＨ状態、及びＵＲＡ＿ＰＣＨ状態のグループの状態であることを特徴とする請求項２０又は２１に記載の方法。
【請求項２３】
論理ダウンリンク呼出或は専用ユーザチャネルに関係した高速無線ネットワークのテンポラリアイデンティティを受信する前に、呼出インジケータを受信する工程をさらに有することを特徴とする請求項１４乃至２２のいずれか１項に記載の方法。
【請求項２４】
高速パケットアクセスをサポートする無線広域システムにおいて備えられる移動端末であって、
高速ダウンリンク共用チャネルを経由して論理ダウンリンクチャネルを受信するのに必要な情報を同報制御チャネルから読み取る手段（３８）と、
高速無線ネットワークのテンポラリアイデンティティのために高速共用制御チャネルを聴取する手段（３８）と、
前記高速無線ネットワークのテンポラリアイデンティティを検出する場合に、前記高速無線ネットワークのテンポラリアイデンティティに対するスケジューリングコマンドに従う手段（３８）と、
前記高速ダウンリンク共用チャネルでデータを受信する手段（３８）と、
前記データを処理する手段（４４，４６，４８，５０）と、
前記読み取られた必要な情報に含まれる高速無線ネットワークのテンポラリアイデンティティが単一の論理ダウンリンク呼出チャネルのデータに関係した第２のアイデンティティであるかどうかを判断する手段とを有し、
前記必要な情報は、少なくとも１つの論理ダウンリンクチャネルに割り当てられる高速無線ネットワークのテンポラリアイデンティティを含んでおり、前記論理ダウンリンクチャネルの第１グループに割り当てられ、一群の移動端末をアドレスする、少なくとも第１の高速無線ネットワークのテンポラリアイデンティティが存在することを特徴とする移動端末。
【発明の詳細な説明】
【技術分野】
【０００１】
本発明は、第三世代の広帯域符号分割多元接続（ＷＣＤＭＡ）通信システムであるかもしれない無線広域システムにおける方法及び装置に関し、特に、本発明は高速ダウンリンク共用チャネルにおける論理チャネルのマッピングに関する。
【背景技術】
【０００２】
典型的なセルラ無線システムでは、移動端末は無線アクセスネットワーク（ＲＡＮ）を経由して１つ以上のコアネットワークに対して通信する。移動端末は、移動電話（“セルラ”電話）、および移動体端末を有するラップトップのような局であり、それ故に、例えば、携帯型、ポケット型、ノート型、コンピュータ内蔵型、または車載型移動機器であるかもしれず、それらは、音声とデータとの内、少なくともいずれかを無線アクセスネットワークと通信する。
【０００３】
無線アクセスネットワーク（ＲＡＮ）は、セル領域に分割される地理的領域をカバーし、各セル領域は基地局によりサービスを受ける。１つのセルは、無線カバレッジが基地局サイトで無線基地局装置により提供される地理的領域である。各セルはユニークなアイデンティティにより識別され、それはセル内に同報される。基地局は、その基地局の範囲内でエアインタフェース（例えば、無線周波数）により移動端末と通信する。無線アクセスネットワークでは、いくつかの基地局が、通常（例えば、有線またはマイクロ波により）無線ネットワーク制御装置（ＲＮＣ）に接続される。無線ネットワーク制御装置は、また基地局制御装置（ＢＳＣ）とも呼ばれ、これに接続される複数の基地局の様々なアクティビティを監視し、調整する。
【０００４】
無線アクセスネットワークの一例は、世界規模の移動体通信システム（ＵＭＴＳ）地上無線アクセスネットワーク（ＵＴＲＡＮ）である。ＵＭＴＳは第三世代システムであり、いくつかの点で、全地球移動通信システム（ＧＳＭ）として知られる無線アクセス技術の上に構築している。ＵＴＲＡＮは、本質的に、移動端末に広帯域符号分割多元接続（ＷＣＤＭＡ）を提供する無線アクセスネットワークである。第三世代パートナーシッププロジェクト（３ＧＰＰ）はさらに、ＵＴＲＡＮやＧＳＭに基づいた無線アクセスネットワーク技術を発展させるように取り組んできている。
【０００５】
ＷＣＤＭＡネットワークのような今日の無線広域ネットワークでは、ダウンリンクにおける共通トランスポートチャネル、即ち、呼出チャネル（ＰＣＨ）、順方向アクセスチャネル（ＦＡＣＨ）および同報チャネル（ＢＣＨ）は、符号および電力を消費するプライマリ共通制御物理チャネル（Ｐ−ＣＣＰＣＨ）およびセカンダリ共通制御物理チャネル（Ｓ−ＣＣＰＣＨ）のような物理チャネルに静的にマッピングされる。符号は静的にチャネルに割当てられ、通常の実施形では電力は他のチャネルには再使用できない。ＢＣＨは、Ｐ−ＣＣＰＣＨにマッピングされる、一方、ＰＣＨおよびＦＡＣＨはＳ−ＣＣＰＣＨにマッピングされる。
【０００６】
ＢＣＨは、同報制御チャネル（ＢＣＣＨ）を搬送するために使用される。ＢＣＣＨは、システム情報、即ち、他の共通チャネルがどこにマッピングされるかに関する情報を伝える論理チャネルである。このように、ＢＣＣＨは、例えば、Ｓ−ＣＣＰＣＨがどこに所在し、そのいずれがＦＡＣＨ、ＰＣＨまたは双方を搬送しているかに関する情報を伝える。さらに、ＢＣＣＨは、高速ダウンリンク共用チャネル（ＨＳ−ＤＳＣＨ）およびその対応する制御チャネルがどこにマッピングされるかに関する情報を伝える。このように、ＢＣＣＨ、ＢＣＨおよびＰ−ＣＣＰＣＨは、変更不能な必須のチャネルである。
【０００７】
一方、Ｓ−ＣＣＰＣＨは、ＰＣＨとＦＡＣＨとの内、少なくともいずれかを搬送する。ＰＣＨには、呼出制御チャネル（ＰＣＣＨ）がマッピングされる。ＰＣＣＨは、無線リソース制御プロトコル（ＲＲＣ）からの呼出メッセージを搬送するために使用される。ＦＡＣＨは、共通制御チャネル（ＣＣＣＨ）、共通トラフィックチャネル（ＣＴＣＨ）、専用制御チャネル（ＤＣＣＨ）および専用トラフィックチャネル（ＤＴＣＨ）を搬送するために使用される。加えて、ＦＡＣＨはまた、例えば、ＭＢＭＳポイント・ツウ・マルチポイント制御チャネル（ＭＣＣＨ）、ＭＢＭＳポイント・ツウ・マルチポイントトラフィックチャネル（ＭＴＣＨ）、或は、ＭＢＭＳポイント・ツウ・マルチポイントスケジューリングチャネル（ＭＳＣＨ）、およびＣＥＬＬ＿ＦＡＣＨ状態にある移動端末またはユーザ機器ユニットに対する同報制御チャネル（ＢＣＣＨ）のようなマルチメディア同報マルチキャストサービス（ＭＢＭＳ）関連チャネルを搬送するために使用される。ＣＣＣＨは、セル固有のＩｄ（ＭＡＣ  Ｉｄ）を有しない端末と通信するためにＲＲＣにより使用される。端末のアイデンティティはそのとき、ＲＲＣメッセージ内で搬送される。ＣＴＣＨは、セル同報サービス（ＣＢＳ）のために使用される。ＦＡＣＨにマッピングされたＤＣＣＨは、セル固有のＩｄ（ＭＡＣ  Ｉｄ）を有する端末と通信するためにＲＲＣにより使用される。ＦＡＣＨにマッピングされたＤＴＣＨは、セル固有のＩｄを有する端末により使用されるユーザプレーンのデータ転送チャネルである。ＤＣＣＨおよびＤＴＣＨはまた、ＤＣＨおよびＨＳ−ＤＳＣＨにマッピングされる。ＷＣＤＭＡ標準の実施形では、ＤＣＣＨおよびＤＴＣＨをＦＡＣＨにマッピングすることを回避できる一方、ＣＣＣＨ、ＣＴＣＨおよびＭＢＭＳサービスのために、ＦＡＣＨを保持することは以前から必要とされてきている。
【０００８】
ＷＣＤＭＡ標準に従えば、これらの様々な論理チャネルが、移動端末またはユーザ機器ユニットに物理チャネルを経由して送信されるトランスポートチャネルにマッピングされる。このマッピングは、ＷＣＤＭＡ標準に従って、多くのＭＡＣレイヤマッピングユニット、或は、いわゆるＭＡＣレイヤで提供されるＭＡＣエンティティを通して提供される。
【０００９】
図１はこの周知の原理に従ったＭＡＣアーキテクチャのブロック図である。図１には、第１のマッピングユニット１０またはＭＡＣエンティティが示されており、ＷＣＤＭＡではＭＡＣ−ｃ／ｓｈ／ｍと呼ばれている。第１のマッピングユニット１０は、制御構造の上位レイヤで提供されているＲＣＣユニット（不図示）に接続されており、また、論理チャネルであるＰＣＣＨ、ＢＣＣＨ、ＣＣＣＨ、ＣＴＣＨ、ＳＨＣＣ、ＭＣＣＨ、ＭＳＣＨおよびＭＴＣＨにおいて、制御構造の上位レイヤからデータを受信する。ここで、ＳＨＣＣＨは共用チャネル制御チャネルである。第１のマッピングユニット１０は、Ｐ−ＣＣＰＣＨおよびＳ−ＣＣＰＣＨのような様々な物理チャネルで搬送されるために、これらの論理チャネルを様々なトランスポートチャネルであるＰＣＨ、ＦＡＣＨ、ＲＡＣＨ、ＵＳＣＨおよびＤＳＣＨにマッピングする。これを行うために、第１のマッピングユニットはさらに、制御構造の上位レイヤから制御信号ＭＡＣ  ＣＴＲＬを受信する。図１では、制御は上位レイヤを起点とする破線で示されている。
【００１０】
さらに、第２のマッピングユニット１２があり、またこれはＭＡＣ−ｈｓとも呼ばれ、様々な論理チャネルをＨＳ−ＤＳＣＨにマッピングすることや、ＨＳ−ＤＳＣＨに割当てられる物理リソースの管理も担当する。これを行うために、第２のマッピングユニットはまた、制御構造の上位レイヤから制御信号ＭＡＣ  ＣＴＲＬを受信する。ここでマッピングされた論理チャネルは通常、データのダウンリンク転送に使用される。第２のマッピングユニット１２はまた、関連するシグナリングチャネルで移動端末に、関連するダウンリンクシグナリングＤＬ  Ｓと、関連するアップリンクシグナリングＵＬ  Ｓとを提供する。図１では、そのシグナリングは破線で示されている。
【００１１】
同様に、第３のマッピングユニット１４があり、これはしばしばＭＡＣ−ｅとも呼ばれ、論理チャネルを拡張専用トランスポートチャネル（Ｅ−ＤＣＨ）上でスケジューリングすることを担当する。ここでは、ＷＣＤＭＡネットワークと通信している移動端末あたり１つの第３のマッピングユニット１４がある。このスケジューリングを行うために、第３のマッピングユニット１４は、移動端末からのスケジュール要求とともに、制御構造の上位レイヤからの制御信号ＭＡＣ  ＣＴＲＬを受信する。またここでは、移動端末に関連するダウンリンクシグナリングＤＬ  Ｓと関連するアップリンクシグナリングＵＬ  Ｓとが関連するシグナリングチャネルで提供されている。Ｅ−ＤＣＨは、データのアップリンク転送のために有利に提供される。図１ではまた、そのシグナリングは破線で示されている。ＨＳ−ＤＳＣＨは、このようにダウンリンク通信に使用される一方、Ｅ−ＤＣＨはアップリンク通信に使用される。
【００１２】
さらに、１移動端末あたりの基準で移動端末に備えられる第４のマッピングユニット１６があり、これはＭＡＣ−ｄとも呼ばれ、専用トラフィックチャネル（ＤＴＣＨ）および専用制御チャネル（ＤＣＣＨ）のような論理トラフィック関連チャネルをトランスポートチャネルの専用チャネル（ＤＣＨ）にマッピングすることを担当する。これを行うために、第４のマッピングユニット１６はまた、制御構造の上位レイヤから制御信号ＭＡＣ  ＣＴＲＬを受信する。
【００１３】
最後に、第５のマッピングユニット１８があり、これはまたＭＡＣ−ｅｓとも呼ばれ、１移動端末あたりの基準で移動端末に備えられる。マッピングユニット１８は、第３のマッピングユニット１４では対象とされないＥ−ＤＣＨ機能を扱う。また、第５のマッピングユニット１８は、制御構造の上位レイヤから制御信号ＭＡＣ  ＣＴＲＬを受信する。
【００１４】
図１にはさらに、第１のマッピングユニット１０と第４のマッピングユニット１６および第５のマッピングユニット１８との間にｌｕｒインタフェースが示されているとともに、第１のマッピングユニット１０と第２のマッピングユニット１２および第３のマッピングユニット１４との間にｌｕｂインタフェースも示されている。従って、第１のマッピングユニット１０はＲＮＣに備えられても良く、第４および第５のマッピングユニットは別のＲＮＣに備えられても良く、そして第２のマッピングユニット１２および第３のマッピングユニット１４はノードＢに備えられても良い。ノードＢは、無線基地局または基地局に対して使用される別の用語である。
【００１５】
ＷＣＤＭＡネットワークにおける呼出に関して、ＲＲＣ（無線リソース制御）呼出メッセージは、アイドル状態、ＵＲＡ＿ＰＣＨ（ＵＴＲＡＮ登録エリア＿呼出チャネル）状態およびＣＥＬＬ＿ＰＣＨ（セル＿呼出チャネル）状態において、スリープモードから端末を目覚めさせるために使用される。ＲＲＣ呼出メッセージは、呼出制御チャネル（ＰＣＣＨ）で送出される。呼出制御チャネルＰＣＣＨは、物理呼出チャネル（ＰＣＨ）にマッピングされる論理チャネルである。
【００１６】
端末は、端末に対して省電力を達成するために、異なる呼出グループに分けられる。呼出グループの不連続な受信周期、いわゆるＤＲＸ周期内の特定の時点で、呼出グループ内の端末は目覚め、その呼出グループへの呼出情報があるかどうかを調べる。端末は、呼出インジケータチャネル（ＰＩＣＨ）上で呼出情報を調べる。
【００１７】
それ故、アイドル、Ｃｅｌｌ＿ＰＣＨまたはＵＲＡ＿ＰＣＨ状態にある端末は、一定の間隔をおいて、１つのＰＣＣＨ、１つのＰＣＨおよび１つのＳ−ＣＣＰＣＨを受信できる。Ｓ−ＣＣＰＣＨを受信するに先立って、端末は、呼出インジケータチャネル（ＰＩＣＨ）を調べ、ＰＣＨ上にその呼出グループに対する呼出メッセージがあるかどうかを確かめる。このように、端末はＳ＿ＣＣＰＣＨを連続的に聴取するのではなく、ＤＲＸ周期で制御される一定の間隔をおいて聴取する。
【００１８】
ＷＣＤＭＡでは、ＰＣＨ／ＰＣＣＨのために使用されるＳ−ＣＣＰＣＨは２つ以上あっても良い。ＰＣＨ／ＰＣＣＨを搬送する全てのＳ−ＣＣＰＣＨは、同報制御チャネル（ＢＣＣＨ）上でシステム情報により示される。呼出グループは、異なるＳ−ＣＣＰＣＨにわたって広がっている。端末は、国際移動電話加入者ＩＤ（ＩＭＳＩ）に基づく明確な規則に従って呼出グループを選ぶ。従って、各端末は、１つのＳ−ＣＣＰＣＨ上で呼出情報を聴取するだけである。
【発明の概要】
【発明が解決しようとする課題】
【００１９】
現行のＷＣＤＭＡシステムアーキテクチャでは、いずれのＳ−ＣＣＰＣＨも、無線ネットワーク制御装置（ＲＮＣ）により静的に割り当てられる電力および符号を消費する。このように、電力および符号はＳ−ＣＣＰＣＨ以外のトラフィックには再使用できず、リソースを非効率的に使用する結果となる。特にセル内で移動端末が少ない場合にそのようになる。
【００２０】
現在ＦＡＣＨを使用する論理チャネルを、他のいくつかのチャネルにマッピングする方法があれば、ＦＡＣＨは回避されることができよう。しかしながら、Ｓ−ＣＣＰＣＨを使用するのは、ＦＡＣＨだけではない。ＰＣＨもまたそうである。それ故、Ｓ−ＣＣＰＣＨを回避し、従って符号と電力とを節約できるように、ＰＣＣＨをＰＣＨ以外のいくつかのチャネルにマッピングできるようにする必要がある。
【００２１】
したがって、本発明の目的は、共通トランスポートチャネルに、例えば、ダウンリンクでマッピングされる論理チャネルが、より効率のよい方法でマッピングできる無線広域システムアーキテクチャを提供することである。これは、一般に、ダウンリンクにおける論理チャネルを高速ダウンリンク共用チャネル（ＨＳ−ＤＳＣＨ）にマッピングすることにより達成される。
【課題を解決するための手段】
【００２２】
従って、本発明を第１の側面からみれば、本発明は高速パケットアクセスをサポートする無線広域システムにおける方法に関するものであり、その方法は以下の工程を備える。即ち、
１つ以上の移動端末を対象とした多くの論理ダウンリンクチャネルにおいてデータを受信する工程と、
前記論理ダウンリンクチャネルの第１グループのデータに一群の移動端末をアドレスする第１の高速無線ネットワークのテンポラリアイデンティティを割り当て、高速ダウンリンク共有チャネルを経由して１つ以上の移動端末による受信のために、前記第１のグループのチャネルの前記データが送信できるようにする工程と、
を有する。
【００２３】
本発明を第２の側面からみれば、本発明は高速パケットアクセスをサポートする無線広域システム内の無線ネットワーク制御装置に関するものであり、その装置は以下の手段を備える。即ち、
１つ以上の移動端末を対象とした多くの論理ダウンリンクチャネルにおいてデータを受信するための手段と、
前記論理ダウンリンクチャネルの第１グループのデータに一群の移動端末をアドレスする第１の高速無線ネットワークのテンポラリアイデンティティを割り当て、高速ダウンリンク共有チャネルを経由して１つ以上の移動端末による受信のために、前記第１のグループのチャネルの前記データが送信できるようにする手段と、
を有する。
【００２４】
本発明を第３の側面からみれば、本発明は高速パケットアクセスをサポートする無線広域システム内の移動端末における方法に関するものであり、その方法は以下の工程を備える。即ち、
高速ダウンリンク共用チャネルを経由して論理ダウンリンクチャネルを受信するのに必要な情報を同報制御チャネルから読み取る工程と、
高速無線ネットワークのテンポラリアイデンティティのために高速共用制御チャネルを聴取する工程と、
前記アイデンティティを検出する場合に、前記高速無線ネットワークのテンポラリアイデンティティに対するスケジューリングコマンドに従う工程と、
高速ダウンリンク共用チャネルでデータを受信する工程と、
前記データを処理する工程とを有し、
前記必要な情報は、少なくとも１つの論理ダウンリンクチャネルに割り当てられる前記高速無線ネットワークのテンポラリアイデンティティを含んでおり、前記論理ダウンリンクチャネルの第１グループに割り当てられ、一群の移動端末をアドレスする少なくとも第１の高速無線ネットワークのテンポラリアイデンティティが存在する。
【００２５】
本発明を第４の側面からみれば、本発明は高速パケットアクセスをサポートする無線広域システムにおいて備えられる移動端末に関するものであり、その移動端末は以下の構成を備える。即ち、
高速ダウンリンク共用チャネルを経由して論理ダウンリンクチャネルを受信するのに必要な情報を同報制御チャネルから読み取る手段と、
高速無線ネットワークのテンポラリアイデンティティのために高速共用制御チャネルを聴取する手段と、
前記アイデンティティを検出する場合に、前記高速無線ネットワークのテンポラリアイデンティティに対するスケジューリングコマンドに従う手段と、
高速ダウンリンク共用チャネルでデータを受信する手段と、
前記データを処理するための手段とを有し、
前記必要な情報は、少なくとも１つの論理ダウンリンクチャネルに割り当てられる高速無線ネットワークのテンポラリアイデンティティを含んでおり、前記論理ダウンリンクチャネルの第１グループに割り当てられ、一群の移動端末をアドレスする、少なくとも第１の高速無線ネットワークのテンポラリアイデンティティが存在する。
【発明の効果】
【００２６】
論理ダウンリンクチャネル、例えば、ＣＣＣＨ、ＣＴＣＨ、ＢＣＣＨ、ＭＢＭＳチャネルおよびＰＣＣＨを、ＦＡＣＨおよびＰＣＨではなくＨＳ−ＤＳＣＨにマッピングすることで、物理Ｓ−ＣＣＰＣＨチャネルを除外できる。これを行うことで、ＨＳ−ＤＳＣＨおよび対応する制御チャネルは、ダウンリンクにおける唯一のシグナリングおよびユーザデータのトランスポートチャネルとなりえ、それ故、出力電力および符号が節約できる。ネットワークリソースは、それ故、より効率よく使用される。さらに、システムにおいて追跡する物理チャネルがより少なくなる。ＨＳ−ＤＳＣＨは、Ｓ−ＣＣＰＣＨに比べて高速チャネルであるので、そのようなデータが伝送される速度の向上がさらに得られ、それ故にまたシステムの総合的性能が改善する。
【００２７】
本発明を添付図面に関してより詳細に説明する。
【図面の簡単な説明】
【００２８】
【図１】従来技術に従う以前に説明された周知のＭＡＣアーキテクチャを概略的に示す図である。
【図２】コアネットワークに接続されたアクセスネットワークとともに、アクセスネットワークの基地局により扱われるセルに接続された移動端末を概略的に示す図である。
【図３】本発明に従う、トランスポートチャネルＦＡＣＨおよびＰＣＨが取り除かれたＭＡＣアーキテクチャを概略的に示す図である。
【図４】本発明の第１の実施例に従う論理チャネルのマッピングを行うために、第１のマッピングユニットに備えられた多くの要素を示すブロック図である。
【図５】本発明の第１の実施例に従ってマッピングされたデータを受信するために、移動端末に備えられた多くの要素を示すブロック図である。
【図６】本発明の第１の実施例に従った方法において取られ、第１のマッピングユニットで実行される、多くのステップの概略を示すフローチャートである。
【図７】本発明の第１の実施例に従った方法において取られ、移動端末で実行される、多くのステップの概略を示すフローチャートである。
【発明を実施するための形態】
【００２９】
以下の説明では、限定ではなく説明の目的のために、特定のアーキテクチャ、インタフェース、手法などのような具体的な詳細を本発明の完全な理解を提供するために説明する。しかしながら、当業者には本発明がこれらの具体的な詳細から逸脱する他の実施例で実施できるということは明らかであろう。他の例では、周知のデバイス、回路、および方法の詳細な説明は、不必要な詳細で本発明の説明をあいまいにしないようにするため省略する。
【００３０】
本発明を、図２に示す世界規模の移動体通信システム（ＵＭＴＳ）の代表的な環境下でより詳細に説明する。このシステムは、高速パケットアクセス（ＨＳＰＡ）をサポートするＷＣＤＭＡ（広帯域符号分割多元接続）システムであると良い。このシステムでは、第１のコネクション指向のサービスノード２０を含むコアネットワークＣＮがあり、そのノードは回線交換サービスを提供する移動電話交換局（ＭＳＣ）であると良い。コアネットワークＣＮはまた、パケット交換型サービスを提供するように構成された第２の汎用パケット無線サービス（ＧＰＲＳ）ノード２１を含み、そのノードは在圏ＧＰＲＳサービスノード（ＳＧＳＮ）とも呼ばれる。サービスノード２０は、ＰＳＴＮ（公衆交換電話網）またはＧＳＭ（汎欧州デジタル移動電話方式）のような回線交換ネットワークに接続される。ノード２１は、インターネットのようなコネクションレス指向のネットワークにも接続できる。
【００３１】
コアネットワークのサービスノード２０とサービスノード２１の各々は、ＷＣＤＭＡシステムのアクセスネットワークＡＮに接続し、そのアクセスネットワークは、ここではＵＭＴＳ地上無線アクセスネットワーク（ＵＴＲＡＮ）である。ＵＴＲＡＮ  ＡＮは１つ以上の無線ネットワーク制御装置（ＲＮＣ）を含むが、図２では１つのＲＮＣ２２のみが示されている。ＲＮＣ２２は、複数のセルに接続されている。ＲＮＣ２２は、第１の基地局または無線基地局ＢＴＳ２４、第２の基地局または無線基地局ＢＴＳ２６、及び第３の基地局または無線基地局ＢＴＳ２８に接続されている。これらの基地局２４、基地局２６、及び基地局２８の各々は、セル内の通信を制御する。ここで、当然のことながら、１つの基地局は２つ以上のセルに対処できる。この図では、第１の基地局２４に関連した１つのセル３０のみが示されている。セルは、アクセスネットワークＡＮによりカバーされる地理的領域内で備えられる。図２では、移動端末３２がアクセスネットワークＡＮ内の基地局２４により扱われるセル３０内に示されており、基地局２４と通信しているように示されている。当然のことながら、通常は、基地局と通信するいくつかの移動端末が備えられる。
【００３２】
図３は、図１に類似している概略図において本発明に従うＭＡＣ構造を示している。図３は、トランスポートチャネルＦＡＣＨおよびＰＣＨが除外されていることで図１と異なる。他の全ての点において、図３は図１に類似している。それ故に、これ以上詳細には説明しないこととする。ここで、代表的な第１のマッピングユニット１０がＲＮＣ２２に設けられる一方、第２のマッピングユニット１２が、基地局、例えば、第１の基地局２４に、図３から明らかなようにｌｕｂインタフェースを通して設けられる。
【００３３】
図４は本発明の第１の実施例に従う第１のマッピングユニット１０における機能を示すブロック図である。この図では、本発明に関連する要素のみが備えられている。残りは、説明を明瞭にするために省略されている。本発明の機能を提供する要素を除いて、第１のマッピングユニット１０は、そのようなＭＡＣ  ｃ／ｓｈ／ｍマッピングユニットの標準的な機能を提供する。第１のマッピングユニット１０は、１つ以上の移動端末を対象とした論理ダウンリンクチャネルをシステムの高位レベルから受信する多くの入力３３を含んでいる。ここで、各論理チャネルに対して１つの入力がある。チャネルＢＣＣＨ、ＣＣＣＨ、ＣＴＣＨ、ＭＣＣＨ、ＭＳＣＨ、及びＭＴＣＨを受信する第１〜第６の入力は夫々、第１のマッピング要素３４に接続される一方、ＰＣＣＨチャネルを受信する第７の入力は、第２のマッピング要素３６に接続されている。第４のマッピングユニットからｌｕｒインタフェース経由でデータを受信する第８の入力３７がある。第８の入力３７はまた、第１のマッピング要素３４にも接続されている。第１のマッピング要素３４と第２のマッピング要素３６の両方は、最後に第２のマッピングユニット（不図示）にｌｕｂインタフェース経由で接続されている。
【００３４】
図５は本発明の第１の実施例に従う移動端末３２に対応する機能を提供する多くの要素を示すブロック図である。この図では、本発明に関連する要素のみが備えられている。残りは、説明を明瞭にするために省略されている。
【００３５】
無線信号を受信する無線回路３８に接続されたアンテナ４０がある。無線回路３８は、次に処理ユニット４２に接続され、処理ユニット４２は次に、第１のチャネル処理ユニット４４、第２のチャネル処理ユニット４６、第３のチャネル処理ユニット４８、及び第４のチャネル処理ユニット５０に接続され、各チャネル処理ユニットは、論理チャネルのデータのヘッダにおいて識別される１つ以上の論理チャネルに従って、データを処理するように構成されている。これがどのように行われるかは、後でより詳しく説明することとする。第１のチャネル処理ユニット４４はここではＣＣＣＨチャネル処理ユニットであり、第２のチャネル処理ユニット４６はＤＣＴＣ／ＤＣＣＨチャネル処理ユニットであり、第３のチャネル処理ユニット４８はＣＴＣＨチャネル処理ユニットであり、第４のチャネル処理ユニット５０はＭＢＭＳチャネル処理ユニットである。さらに、無線回路３８に接続された第５のチャネル処理ユニット５２があり、ここではＰＣＣＨチャネル処理ユニットである。
【００３６】
本発明の基本的な思想は、例えば、共通制御チャネル（ＣＣＣＨ）、共通トラフィックチャネル（ＣＴＣＨ）、同報制御チャネル（ＢＣＣＨ）、呼出制御チャネル（ＰＣＣＨ）の情報とともに、マルチメディア同報マルチキャストサービス（ＭＢＭＳ）関連のチャネル、例えば、ＭＢＭＳポイント・ツウ・マルチポイント制御チャネル（ＭＣＣＨ）、ＭＢＭＳポイント・ツウ・マルチポイントのトラフィックチャネル（ＭＴＣＨ）、及びＭＢＭＳポイント・ツウ・マルチポイントのスケジューリング・チャネル（ＭＳＣＨ）に専用制御チャネル（ＤＣＣＨ）と専用トラフィックチャネル（ＤＴＣＨ）を併せたものを搬送するために、呼出チャネル（ＰＣＨ）及び順方向アクセスチャネル（ＦＡＣＨ）のトランスポートチャネルの代わりに、トランスポートチャネルとして高速ダウンリンク共用チャネル（ＨＳ−ＤＳＣＨ）を使用することである。上述したように、ＨＳ−ＤＳＣＨは現在既に、ＤＴＣＨとＤＣＣＨを搬送することができる。
【００３７】
次に、本発明の第１の実施例に従う機能を備える第１のマッピングユニット１０の動作を、図２、図３、図４、及び図６を参照して説明する。ここで、図６は、本発明の第１の実施例に従う方法の多くのステップを示しており、これらは第１のマッピングユニット１０で実行される。
【００３８】
第１のＲＮＣ２２に備えられた第１のマッピングユニット１０は、ステップ５６でシステムアーキテクチャの高位レイヤから多くの論理チャネルでデータを受信する。ここではまた、第１のマッピングユニット１０は、第４のマッピングユニット１６からｌｕｒインタフェースを経由して、専用論理チャネルＤＣＣＨ及びＤＴＣＨでデータを受信しても良い。第４のマッピングユニット１６はこのようにＭＡＣ−ｄマッピングユニットであり、第４のマッピングユニット１６からのこのデータはそのとき、ある移動端末に対して固有であり、その端末に割り当てられたアイデンティティ、いわゆるＭＡＣ  ｉｄを伴っている。そのようなデータの受信は、それ自体当業者には周知であり、従って、ここではこれ以上詳細には説明しない。しかしながら、本発明の第１の実施例に従えば、第７の入力で受信されるＰＣＣＨチャネルのデータは、第２のマッピング要素３６に提供され、第１から第６の入力で受信されるチャネルＢＣＣＨ、ＣＣＣＨ、ＣＴＣＨ、ＭＣＣＨ、ＭＳＣＨ、及びＭＴＣＨのデータは、第１のマッピング要素３４に送られる。第１のマッピング要素３４はそのとき恐らく、上述のＤＣＣＨ及びＤＴＣＨデータも受信するであろう。第１のマッピング要素３４がここからデータを受信するこれらの論理チャネルは、第１のグループのチャネルを編成する。第１のマッピング要素３４では、ステップ５８で、ヘッダ、ここでは所謂ＭＡＣヘッダ、特に、ＭＡＣ−ｃ／ｓｈ／ｍヘッダが、これらのチャネルのデータに周知の方法で付加される。ここで、とりわけヘッダは、それがどの論理チャネルであるかを示し、また、そのような端末アイデンティティが提供されると、あり得るセル固有の端末アイデンティティ、ＭＡＣ  ｉｄを含む。ここまでは、第１のマッピング要素３４は、論理チャネルをＦＡＣＨチャネルにマッピングする際の標準的な原理に従って動作している。しかしながら、第１のマッピング要素３４は新しい機能を有する。要素３４は、第１の高速無線ネットワークのテンポラリアイデンティティ（Ｈ−ＲＮＴＩ）を第１グループの様々なチャネルのデータに割り当てる。第２のマッピング要素３６はまた、第２の高速無線ネットワークのテンポラリアイデンティティ（Ｈ−ＲＮＴＩ）をＰＣＣＨチャネルのデータに割り当てる。そのようなアイデンティティは通常、ＭＡＣ−ｈｓマッピングユニットを実現する第２のマッピングユニット１２により、高速データチャネルＨＳ−ＤＳＣＨにより特定の移動端末に専用のデータを送るために様々な移動端末に提供される。それ故に、これらのアイデンティティは通常、特定の移動端末に一時的に割り当てられるので、端末固有である。本発明の第１の実施例に従えば、これらのアイデンティティは、単一の論理ダウンリンクチャネルと論理ダウンリンクチャネルグループとの内、少なくともいずれかを示すために用いられる。これらのアイデンティティはまた、両方とも一群の移動端末をアドレスする。単一のチャネルと第１のグループのチャネルに対してより多くのそのようなアイデンティティがあっても良い。このような場合、そのとき、これらのさらなるアイデンティティは他のグループの端末に対して提供される。第１の実施例においては、第��のアイデンティティは仮想ＦＡＣＨチャネルに割り当てられ、第２のアイデンティティは仮想ＰＣＨチャネルに割り当てられると理解できる。従って、本発明の第１の実施例に従えば、ステップ６０で、第１のマッピング要素３４は、第１のグループのチャネル全てにおけるデータに対して第１のそのようなアイデンティティを提供し、第２のマッピング要素３６は、ＰＣＣＨチャネルに対して第２のそのようなアイデンティティを提供する。それ故に、第１のマッピング要素３４は、第１の高速無線ネットワークのアイデンティティを、論理ダウンリンクチャネルの第１のグループのデータに割り当てる手段を備える一方、第２のマッピング要素３６は、第２の高速無線ネットワークのアイデンティティを単一の論理ダウンリンクチャネルのデータに割り当てる手段を備える。これらマッピング要素３４とマッピング要素３６の両方はそれから、第２のマッピングユニット１２にデータと関連する識別子とを送信する。ここで、第２のマッピングユニットは、基地局２４に備えられ、ＨＳ−ＤＳＣＨチャネルにより送信を行なう。このようにして、１つ以上の移動端末は、第１グループの論理ダウンリンクチャネルのデータとともに、単一の呼出チャネルのデータも、高速ダウンリンク共用チャネル、即ち、ＨＳ−ＤＳＣＨを経由して受信することが許される。
【００３９】
システムはそれから、論理チャネルをＨＳ−ＤＳＣＨで見つけるのに必要な他の情報と共に、アイデンティティがＢＣＣＨでシグナリングされることを確認する。これは通常、図３に示唆されている（しかし不図示の）高位レイヤ構造により制御される。
【００４０】
次に、移動端末がこのデータをどのように処理するかについて、図５と図７とを参照して説明する。ここで、図７は、移動端末で実行される本発明の第１の実施例に従う対応する多くのステップを示すフローチャートである。
【００４１】
移動端末、例えば、移動端末３２は、ステップ６４で、同報制御チャネルＢＣＣＨを聴取、或は、読み取るために無線回路３８とアンテナ４０を使用し、上述の論理チャネルがどこに現われるかに関する情報を聴取する。それ故に、ＢＣＣＨチャネルは、これらの論理チャネルがどこに現われるか（ここではＨＳ−ＤＳＣＨ）、そのようなデータの存在がどこでシグナリングされるか（ここではＨＳ−ＳＣＣＨ（高速共用制御チャネル））、そのようなシグナリングにどんなアイデンティティ即ちＨ−ＲＮＴＩが使用されるるのかに関する情報をも含む。移動端末３２はそのとき、ステップ６６で、無線回路３８を使用して第２のマッピングユニット１２により提供されるＨＳ−ＳＣＣＨを聴取する。移動端末３２はそれから、第１または第２のアイデンティティを待ち合わせる。ステップ６８で第１または第２のアイデンティティが検出されない限り、移動端末３２はステップ６６でＨＳ−ＳＣＣＨを聴取し続ける。しかしながら、ステップ６８で第１または第２のアイデンティティを読み取ると、ステップ７０で、そのようなＩＤと共に送られるスケジューリングコマンドに従う。スケジューリング処理はここでは、ＦＡＣＨ及びＰＣＨを選択する場合に以前に使用されていたのと同じものである。無線回路３８はそれからスケジューリングコマンドにより示されるようにＨＳ−ＤＳＣＨチャネルに同調し、ステップ７２でデータを受信する。ステップ７４で、もし、そのアイデンティティが第２のアイデンティティであると、データはそれから無線回路３８から第５のチャネル処理ユニット５２に転送される。チャネル処理ユニット５２は、ステップ７６で、周知の方法で呼出データに対処、或は、処理するために構成された呼出チャネル処理ユニットである。しかしながら、ステップ７４で、アイデンティティが第１のアイデンティティであると、データは処理ユニット４２に転送される。処理ユニット４２はそれから、どんな種類のチャネルが使用されたかを判断するためにステップ７８でＭＡＣヘッダを調べ、そのチャネルに関連する適切なチャネル処理ユニット４４、チャネル処理ユニット４６、チャネル処理ユニット４８、またはチャネル処理ユニット５０にデータを転送する。選択されたチャネル処理ユニット４４、チャネル処理ユニット４６、チャネル処理ユニット４８、またはチャネル処理ユニット５０はそれからステップ８０で、周知の方法でデータを処理する。従って、無線回路３８は、同報制御チャネル（ＢＣＣＨ）から、少なくとも１つの論理ダウンリンクチャネルに割り当てられた高速無線ネットワークのテンポラリアイデンティティ（Ｈ−ＲＮＴＩ）を含む、高速ダウンリンク共用チャネルを経由して論理ダウンリンクチャネルを受信するのに必要な情報を読み取る手段と、前記高速無線ネットワークのテンポラリのアイデンティティについて高速共用制御チャネルを聴取する手段と、前記アイデンティティを検出した場合に、前記高速無線ネットワークのテンポラリアイデンティティに対するスケジューリングコマンドに従う手段と、高速ダウンリンク共用チャネルでデータを受信する手段とを提供する。処理ユニット４２、及びチャネル処理ユニット４４、４６、４８、５０、５２を一緒に組み合わせて、そのような読み取りデータを処理する手段を提供する。
【００４２】
ＰＣＣＨデータが送信されると、そのようなデータはそれ自身のアイデンティティ、即ち、第２のアイデンティティを有するので、従って、端末はこのことを直接に知る。
【００４３】
ＤＣＣＨまたはＤＴＣＨデータが送信されると、処理ユニット４２はヘッダを用いて、そのデータが端末に向けられたものかどうかを調べることができる。このことは、ヘッダがＭＡＣ  ｉｄを含むなら、行われる。そうでないと、データは直ちに廃棄され、それ故に、対応するチャネル処理ユニットに送られない可能性がある。しかしながら、そのようなデータが端末に向けられたものであるなら、データはその代わりに第２のチャネル処理ユニット４６に転送され、ＭＡＣ−ｄ高位プロトコルレイヤに従ってデータを処理する。そのヘッダがＣＣＣＨを示していると、データは、対応する高位レイヤＲＲＣプロトコルを実装する第１のチャネル処理ユニット４４にルーティングされる。そのヘッダがＣＴＣＨを示しているなら、そのデータは、セル同報データとして扱われるために第３のチャネル処理ユニット４８に転送される。そのヘッダがＭＣＣＨ、ＭＴＣＨ、或はＭＳＣＨを示しているなら、そのデータは、ＭＢＭＳトラフィックデータとして扱われるために、最後に、第４のチャネル処理ユニット５０に転送される。
【００４４】
本発明の上述した実施例は多くの長所を有している。この実施例により、Ｓ−ＣＣＰＣＨチャネルを取り去ることが可能になる。このようにして、電力および符号が他のトラフィックのために再利用される。ネットワークリソースは、それ故、より効率よく使用される。さらに、追跡すべき物理チャネルがより少ない。ＨＳ−ＤＳＣＨはさらにＳ−ＣＣＰＣＨよりも高速であり、これは様々なサービスの提供、例えば、呼の設定がより高速になるということを意味する。このように、データが伝送される速度の増加が得られ、それはシステムの総合的な性能を向上させる。第１の実施例は、除去される２つのトランスポートチャネルに対してアイデンティティが実質的に備えられるので、現行のＷＣＤＭＡネットワークの変更が限定されるので、更なる利点がある。
【００４５】
上述した第１の実施例は、１つの仮想ＰＣＨチャネルと１つの仮想ＦＡＣＨチャネルとを有していた。ここで当然のことながら、そのような仮想のチャネルがもっと多くあっても良いし、それらのチャネル各々は対応する高速無線ネットワークのテンポラリアイデンティティ（Ｈ−ＲＮＴＩ）と関連している。
【００４６】
その代わりに、本発明の別の実施例では、別々のアイデンティティ、即ち、複数のＨ−ＲＮＴＩがまた、ＣＴＣＨ、ＭＣＣＨ、ＭＴＣＨ、或はＭＳＣＨの伝送を示すために用いられる。この実施例では、それ故、第１および第２のチャネルグループがあるであろう。各グループは別々のアイデンティティで示されて、第１のグループは、チャネルＢＣＣＨとＣＣＣＨから成り、第１のアイデンティティに関連している。一方、第２のグループはチャネルＣＴＣＨ、ＭＣＣＨ、ＭＳＣＨ、及びＭＴＣＨから成り、さらなるアイデンティティに関連している。さらなるアイデンティティとは、ここでは、第３のアイデンティティである。ここで、第１のグループは、特定の移動端末に向けてデータを送信するチャネルを含み、第２のグループは、一群の端末に向けてデータを送信するチャネルを含む。これらの別々のアイデンティティを使用する利点は、ＭＢＭＳトラフィックがＤＣＣＨ／ＤＴＣＨ／ＣＣＣＨトラフィックと区別される点にある。これは、いくつかのシナリオで省電力をもたらす。
【００４７】
本発明の別の実施例に従えば、チャネルＰＣＣＨに対して個別のアイデンティティはないが、ＰＣＣＨは第１のグループに含まれる。この場合、ヘッダはＰＣＣＨをも示すことができるように拡張される。この解決策に対して、図６の第５のチャネル処理ユニットはそのとき、無線回路の代わりに処理ユニットに接続される。
【００４８】
勿論さらなるアイデンティティが可能で、図５に示される各チャネル処理ユニットに対して１つのアイデンティティがあっても良い。さらに別の代替案では、もともとＳ−ＣＣＰＣＨに備えられたあり得る論理チャネル夫々に対する１つのアイデンティティがある。
【００４９】
移動端末はアイドルモードになりえ、ＷＣＤＭＡネットワークでは多くの状態になることもできる。これらの状態は、ＣＥＬＬ＿ＰＣＨ状態、ＣＥＬＬ＿ＦＡＣＨ状態、ＣＥＬＬ＿ＤＣＨ状態、或は、ＵＲＡ＿ＰＣＨ状態である。アイドルモードでは端末はネットワークに接続されていないが、ＣＥＬＬ＿ＰＣＨ状態では呼出チャネルを聴取しており、これは第１の実施例では第２のアイデンティティに対してであって、ＣＥＬＬ＿ＦＡＣＨ状態ではＦＡＣＨチャネルを聴取するが、専用物理チャネルには何も割り当てられていない。第１の実施例では、ここで、第１のアイデンティティを聴取しているであろう。ＣＥＬＬ＿ＤＣＨ状態では、移動端末に割り当てられる専用ＤＣＨチャネルがある。ＵＲＡ＿ＰＣＨ状態はＣＥＬＬ＿ＰＣＨ状態と類似している。ここでは、移動端末は、ＵＲＡ境界を横切った後に端末ロケーションについてネットワークを更新する。ここで、ＵＲＡは一群のセルである。ここで、ＣＥＬＬ＿ＤＣＨ状態はアクティブ通信状態と見なすことができる一方、他の状態は非アクティブ通信状態と見なすことができる。
【００５０】
現在のＷＣＤＭＡシステムでは、ＰＣＨチャネルに先立って呼出インジケータチャネル（ＰＩＣＨ）で送られる呼出インジケータがある。本発明に従えば、ＰＩＣＨがなお適用できる。そのような場合、ＰＣＣＨ伝送を示す第２のアイデンティティ（Ｈ−ＲＮＴＩ）のスケジューリングに先立ってＰＩＣＨが伝送される。ＣＥＬＬ＿ＰＣＨ或はアイドルモードにある端末は、周知の原理に従って呼出グループを選択し、そしてＰＩＣＨを聴取する。しかしながら、移動端末呼出グループへの呼出メッセージの際に、移動端末はＳ−ＣＣＰＣＨの代わりにＨＳ−ＳＣＣＨに同調する。ＨＳ−ＳＣＣＨで、端末は第２のアイデンティティに対するスケジューリング情報を聴取する。それから、端末はスケジューリング情報に従い、そして、上述のように、ＨＳ−ＤＳＣＨで呼出メッセージを受信する。
【００５１】
ＭＡＣ−ｈｓより高位のレイヤは、ＲＲＣを除いて不変であり、ＲＲＣは、ＢＣＣＨでＳ−ＣＣＰＣＨ／ＰＣＨ／ＰＣＣＨに対応するアイデンティティをシグナリングする。これを行うことにより、呼出グループを選択する規則は、現在のＷＣＤＭＡシステムに対するのと同じままでいることができる。しかしながら、原理上は他の何らかの規則も選択できる。
【００５２】
アップリンクＵＬに対して、Ｅ−ＤＣＨは、ＣＣＣＨを除いて全ての論理チャネルに使用でき、そして、端末が呼出に応答するか、或は、Ｅ−ＤＣＨでユーザデータを送信したい場合には、ＤＣＣＨでトランスポートされるメッセージに使用できる。
【００５３】
本発明の更なる実施例では、ＰＩＣＨとＨＳ−ＤＳＣＨはまた、ＣＥＬＬ＿ＰＣＨ状態でユーザにユーザデータを配信するのに使用できる。ＰＩＣＨのインジケーションを受信すると、呼出グループに属する全ての端末がＨＳ−ＳＣＣＨからアイデンティティ（Ｈ−ＲＮＴＩ）を読み取る。そのアイデンティティは、上述した第１の実施例と同様に、特定の移動端末に専用であっても良いし、またはいくつかの移動端末に対するグループアイデンティティであっても良い。正しいアイデンティティを検出すると、端末はＨＳ−ＤＳＣＨをデコードし、メッセージを受信する。ＭＡＣヘッダはここで、メッセージが呼出メッセージであるか、或は、ユーザデータであるかを示すのに使用できる。ユーザデータが共用のグループアイデンティティに対して送信される場合、移動端末を識別するためにＭＡＣヘッダ内にＭＡＣ  ｉｄがさらに存在すると良い。
【００５４】
アクティブな通信状態、ＣＥＬＬ＿ＤＣＨ状態にある端末にデータを送信するために、端末に専用アイデンティティを割り当てることが知られている。端末にはそれから、専用論理チャネルのどこのデータが受信されるのかをシグナリングするために、専用Ｈ−ＲＮＴＩが割り当てられる。本発明に従えば、そのような専用のデータはまた、端末が非アクティブな通信状態、例えば、ＣＥＬＬ＿ＰＣＨ状態、ＣＥＬＬ＿ＦＡＣＨ状態、及び、ＵＲＡ＿ＰＣＨ状態にある場合、専用論理チャネルで送信することができる。従って、本発明はまた、ＣＥＬＬ＿ＰＣＨ状態の端末に対してより多くのデータを送信できる。端末がＣＥＬＬ＿ＰＣＨ状態にある間も、そのような専用アイデンティティ（Ｈ−ＲＮＴＩ）を保持させることにより、ネットワークは、端末を最初にＣＥＬＬ＿ＦＡＣＨ或はＣＥＬＬ＿ＤＣＨに移行させる代わりに、ＰＩＣＨが保存されたアイデンティティをＨＳ−ＳＣＣＨで使用後すぐに、データを送信することを選択できる。
【００５５】
その代わりに、そのようなさらなるデータは、仮想ＦＡＣＨを識別する第１のアイデンティティを使用し、そして端末を識別するためにヘッダを使用して送信できる。
【００５６】
ＣＥＬＬ＿ＰＣＨ状態に留まることは、キープ・アライブ・メッセージ送信のように、少量のデータにとって好ましい場合がある。ここで、シグナリングのオーバヘッドは、端末をＣＥＬＬ＿ＦＡＣＨ或はＣＥＬＬ＿ＤＣＨに移行させるとかなりの量になるであろう。ＣＥＬＬ＿ＦＡＣＨよりむしろＣＥＬＬ＿ＰＣＨに留まることは、端末の電池消費の観点から好ましい。
【００５７】
ＣＥＬＬ＿ＤＣＨからＣＥＬＬ＿ＰＣＨへの直接遷移はまた、再構成設定メッセージにおける構成設定データ量を減らすので、ＲＲＣシグナリングの観点から好ましい。ＣＥＬＬ＿ＰＣＨからＣＥＬＬ＿ＤＣＨに遷移させる再構成設定メッセージは、端末が保存している以前の構成設定を使用できるので、無線ベアラ及びトランスポートチャネル構成情報を含める必要はない。
【００５８】
ネットワークはなお、スリープモードをさらに最適化するためにＰＩＣＨを使用する。しかしながら、このことは本発明に従えば厳密には必要ではない。呼出の場合、原理上、端末はＨＳ−ＳＣＣＨで第２のアイデンティティを聴取することができる。ＰＩＣＨを用いれば、呼出の場合、端末はＰＩＣＨを聴取し、ＰＩＣＨが呼出グループに対するメッセージがあるということを示す場合のみ、端末は第２のアイデンティティを聴取する。ＰＩＣＨを用いるやり方では、同じ時間インスタンスで同じアイデンティティに関していくつかの呼出グループを有する可能性がある。
【００５９】
ＷＣＤＭＡでは、ＰＣＨの送信時間間隔（ＴＴＩ）は１０ミリ秒である一方、ＨＳ−ＤＳＣＨに対してＴＴＩは２ミリ秒である。従って、ＷＣＤＭＡでは、呼出メッセージは１０ミリ秒にわたって送信され、このことはＨＳ−ＤＳＣＨの２ミリ秒ＴＴＩよりも良好な時間ダイバーシティを与える。このような状況に対処するために考えられる代替案がいくつかある。一つの代替案に従えば、端末は、スケジューリング情報を得るためにＰＩＣＨが受信されてから１０ミリ秒間、ＨＳ−ＳＣＣＨで聴取する。より一般的な代替案に従えば、端末はＸミリ秒間聴取する。ここで、Ｘは、同報されるかＲＲＣによりシグナリングされるかのいずれかで、原理上、２ミリ秒の倍数である任意の値をとることができる。受信を改善し、カバレッジを広げるために、移動端末がＨＳ−ＳＣＣＨの反復のソフト組み合わせるを行なうこともオプションである。
【００６０】
上の段落で説明したように、ＷＣＤＭＡのＰＣＨに対するＴＴＩは１０ミリ秒であり、ＨＳ−ＤＳＣＨに対する共通のＴＴＩは２ミリ秒である。しかしながら、ＰＣＨチャネルは３２ｋｂｐｓである。従って、２ミリ秒ＴＴＩ内に３２ｋｂｐｓで、しかしながら、より高ピーク電力を使用して送ると、１０ミリ秒ＴＴＩを使用して送信する場合と同じカバレッジに達することができる。あるいは、２ミリ秒のＴＴＩを複数使用して必要なピーク電力を減らし、そして、その代わりに長い時間をかけて情報を送信することができる。
【００６１】
いくつかのＴＴＩにわたって送信することは、ユーザデータをＣＥＬＬ＿ＰＣＨの端末に送信する場合に、特に必要になるかもしれない。配信される予定のパケットが、数百バイトを含む可能性があり、１つのＴＴＩ内に送信すると、最大で２Ｍｂｐｓのビット速度を必要とするであろう。その結果、端末はこの状態で、いくつかのＴＴＩの間、ＨＳ−ＳＣＣＨを監視すべきである。この監視周期の長さを規定できる方法がいくつかある。
【００６２】
ＰＩＣＨを受信し終わると、端末はＨＳ−ＳＣＣＨを
ａ）予め決めた期間、例えば、１０ミリ秒、
ｂ）ＨＳ−ＳＣＣＨに含まれるデータ表示を最早受信しなくなるまで、或は、
ｃ）ＤＲＸの全サイクルの間、即ち、次のＰＩＣＨが起きるまで、
監視することになろう。
【００６３】
ＣＥＬＬ＿ＰＣＨ状態で戻りチャネルがないと、リンクアダプテーション及びハイブリッド自動再送要求（ＨＡＲＱ）は、ＨＳ−ＤＳＣＨ送信ではできないということに留意されたい。それ故に、少量で滅多に起こらない送信に対しては、ＣＥＬＬ＿ＰＣＨ状態を使用することが推奨される。
【００６４】
本発明に従う第１のデータマッピングユニットは、マッピング機能を実行するためのコンピュータプログラムコードと共に１つ以上のプロセッサによって実施できる。上述したプログラムコードは、コンピュータプログラムとして、例えば、コンピュータにロードされた時に、本発明に従った方法を実行するコンピュータプログラムコードを担持するデータ担持体の形式でも提供できる。第１のデータマッピングユニットは、適切なプログラムがなされたＡＳＩＣ回路の形式でも有利に実現できる。移動端末の処理ユニット及びチャネル処理ユニットも同じように実施できる。
【００６５】
本発明は、現在最も実際的でそして好適な実施例と考えられるものに関連して説明してきたが、当然のことながら、本発明は開示した実施例に限定されるものではなく、それとは反対に、様々な変形例や同等な構成をカバーすることが意図されている。本発明を、例えば、ＷＣＤＭＡに関連して説明した。しかしながら、当然のことながら、本発明は決してＷＣＤＭＡに限定されるものではなく、何らかの無線広域システムで使用できる。それ故に、本発明は次の請求の範囲によってのみ限定されるものである。
【図１】
0005394925.tif 000002
【図２】
0005394925.tif 000003
【図３】
0005394925.tif 000004
【図４】
0005394925.tif 000005
【図５】
0005394925.tif 000006
【図６】
0005394925.tif 000007
【図７】
0005394925.tif 000008